(57)【要約】【課題】効率的に最適な局所的補強位置を検出することができる最適局所的補強位置検出方法、装置および最適局所的補強位置検出方法に基づいて部品を補強する方法を得る。【解決手段】本発明に係る最適局所的補強位置検出方法は、計算機により、平面要素および／または立体要素を用いて中空部品の解析モデル３１を生成する解析モデル生成工程Ｓ１と、該生成された解析モデル３１に基準となる基準軸を設定し、解析モデル３１の任意の範囲に前記基準軸に対して所定の角度で任意の幅の複数領域に分割を行う領域分割工程Ｓ３と、分割された領域のうち任意の領域について剛性を変更する剛性変更工程Ｓ５と、剛性が一部変更された各解析モデル３１について剛性解析を行う剛性解析工程Ｓ７と、複数の剛性解析結果に基づいて中空部品における最適な局所的補強位置を検出する最適補強位置検出工程Ｓ９とを有することを特徴とするものである。【選択図】  図１
2014048886.tif 000002
【特許請求の範囲】
【請求項１】
計算機により構造体を構成する部品における局所的な最適補強位置を検出する最適局所的補強位置検出方法であって、
平面要素および／または立体要素を用いて前記部品の解析モデルを生成する解析モデル生成工程と、該生成された解析モデルに基準となる基準軸を設定し、前記解析モデルの任意の範囲に前記基準軸に対して所定の角度で任意の幅の複数領域に分割を行う領域分割工程と、前記分割された領域のうち任意の領域について剛性を変更する剛性変更工程と、剛性が一部変更された前記各解析モデルについて剛性解析を行う剛性解析工程と、前記複数の剛性解析結果に基づいて前記部品における最適な局所的補強位置を検出する最適補強位置検出工程とを有することを特徴とする最適局所的補強位置検出方法。
【請求項２】
前記剛性変更工程は、前記任意の領域の板厚および／または弾性率を変更することを特徴とする請求項１に記載の最適局所的補強位置検出方法。
【請求項３】
請求項１または２に記載の最適局所的補強位置検出方法で検出された最適局所的補強位置に基づいて、バルクヘッドを設置して部品を補強することを特徴とする部品の補強方法。
【請求項４】
請求項１または２に記載の最適局所的補強位置検出方法で検出された最適局所的補強位置に基づいて、テーラードブランク材を用いて部品を補強することを特徴とする部品の補強方法。
【請求項５】
構造体を構成する部品における局所的な最適補強位置を検出する最適局所的補強位置検出装置であって、
平面要素および／または立体要素を用いて前記部品の解析モデルを生成する解析モデル生成手段と、該生成された解析モデルに基準となる基準軸を設定し、前記解析モデルの任意の範囲に前記基準軸に対して所定の角度で任意の幅の複数領域に分割を行う領域分割手段と、前記分割された領域のうち任意の領域について剛性を変更する剛性変更手段と、剛性が一部変更された前記各解析モデルについて剛性解析を行う剛性解析手段とを有することを特徴とする最適局所的補強位置検出装置。
【請求項６】
前記複数の剛性解析結果に基づいて前記部品における最適な局所的補強位置を検出する最適補強位置検出手段を有することを特徴とする請求項５に記載の最適局所的補強位置検出装置。
【請求項７】
前記剛性変更手段は、前記任意の領域の板厚および／または弾性率を変更することを特徴とする請求項５または６に記載の最適局所的補強位置検出装置。
【発明の詳細な説明】
【技術分野】
【０００１】
本発明は構造体の最適化解析に関するものであり、自動車の車体等の構造体を構成する部品の最適局所的補強位置検出方法、装置および最適局所的補強位置検出方法に基づいて部品を補強する方法の最適化に関する。
【背景技術】
【０００２】
近年、特に自動車産業においては環境問題に起因した車体の最適化（剛性向上化、軽量化）が進められており、そのために車体の設計にＣＡＥ(Computer Aided Engineering)解析は欠かせない技術となっている。このＣＡＥ解析では数理最適化、板厚最適化、形状最適化、トポロジー最適化などの最適化技術を用いて剛性の向上や軽量化が図れる。
【０００３】
また車体の剛性を向上させる方法としては、車体を構成する部品に、部品の局所に設置されて該局所を補強する局所的補強部材（例えば、バルクヘッドやリインフォース等）を設置する方法がある（例えば特許文献１）。
このような局所的補強部材は設置する位置によって、部品や部品を組み込んだ車体の剛性に大きく影響を与えるため、その最適な補強位置を見出すことが求められている。
【０００４】
そのためには、例えば上述したようなＣＡＥ解析を用いて、局所的補強部材の部品への設置位置を変更し、その都度剛性解析を行い、得られた結果同士を比較することでより適切な補強位置を見出すことができる。
【先行技術文献】
【特許文献】
【０００５】
【特許文献１】特開２００１−１４５０９９号公報
【発明の概要】
【発明が解決しようとする課題】
【０００６】
しかし、上記のような方法は試行錯誤的なものであり、ある部品において局所的補強を施すことで剛性の向上に最も寄与がありそうな位置を人間の勘にもとづいて探して、その都度当該位置に局所的補強部材を設置した部品の解析モデルを作成して解析しなければならず、著しく手間がかかるという問題がある。
【０００７】
また、局所的補強部材を設置するためには設置するためのある程度の大きさの場所が必要である。そのため、剛性に寄与しそうな位置のすべてに局所的補強部材を設置できるとも限らない。
また、局所的補強部材を設置できたとしても、局所的補強部材の形状や本体との接合状態の良否によっては正確な結果を得ることができないという問題があった。
【０００８】
本発明は、上記のような問題を解決するためになされたものであり、効率的に最適な局所的補強位置を検出することができる最適局所的補強位置検出方法、装置および最適局所的補強位置検出方法に基づいて部品を補強する方法を得ることを目的とする。
【課題を解決するための手段】
【０００９】
（１）本発明に係る最適局所的補強位置検出方法は、計算機により構造体を構成する部品における局所的な最適補強位置を検出する最適局所的補強位置検出方法であって、
平面要素および／または立体要素を用いて前記部品の解析モデルを生成する解析モデル生成工程と、該生成された解析モデルに基準となる基準軸を設定し、前記解析モデルの任意の範囲に前記基準軸に対して所定の角度で任意の幅の複数領域に分割を行う領域分割工程と、前記分割された領域のうち任意の領域について剛性を変更する剛性変更工程と、剛性が一部変更された前記各解析モデルについて剛性解析を行う剛性解析工程と、前記複数の剛性解析結果に基づいて前記部品における最適な局所的補強位置を検出する最適補強位置検出工程とを有することを特徴とするものである。
【００１０】
（２）また、上記（１）に記載のものにおいて、前記剛性変更工程は、前記任意の領域の板厚および／または弾性率を変更することを特徴とするものである。
【００１１】
（３）本発明に係る部品の補強方法は、上記（１）または（２）に記載の最適局所的補強位置検出方法で検出された最適局所的補強位置に基づいて、バルクヘッドを設置して部品を補強することを特徴とするものである。
【００１２】
（４）本発明に係る部品の補強方法は、上記（１）または（２）に記載の最適局所的補強位置検出方法で検出された最適局所的補強位置に基づいて、テーラードブランク材を用いて部品を補強することを特徴とするものである。
【００１３】
（５）本発明に係る最適局所的補強位置検出装置は、構造体を構成する部品における局所的な最適補強位置を検出する最適局所的補強位置検出装置であって、
平面要素および／または立体要素を用いて前記部品の解析モデルを生成する解析モデル生成手段と、該生成された解析モデルに基準となる基準軸を設定し、前記解析モデルの任意の範囲に前記基準軸に対して所定の角度で任意の幅の複数領域に分割を行う領域分割手段と、前記分割された領域のうち任意の領域について剛性を変更する剛性変更手段と、剛性が一部変更された前記各解析モデルについて剛性解析を行う剛性解析手段とを有することを特徴とするものである。
【００１４】
（６）また、上記（５）に記載のものにおいて、前記複数の剛性解析結果に基づいて前記部品における最適な局所的補強位置を検出する最適補強位置検出手段を有することを特徴とするものである。
【００１５】
（７）また、上記（５）又は（６）に記載のものにおいて、前記剛性変更手段は、前記任意の領域の板厚および／または弾性率を変更することを特徴とするものである。
【発明の効果】
【００１６】
本発明においては、部品自体の剛性を局所的に変化させて、局所的補強部材を設置した部品と同様の状態にするようにしたので、効率的に最適な局所的補強位置を検出することができる。
【図面の簡単な説明】
【００１７】
【図１】本発明の実施の形態に係る最適局所的補強位置検出方法の工程の流れを説明するためのフローチャート図である。
【図２】本発明の実施の形態に係る最適局所的補強位置検出装置について説明するための説明図である。
【図３】本発明の実施の形態に係る最適局所的補強位置検出対象の部品について説明する説明図である。
【図４】本発明の実施の形態に係る最適局所的補強位置検出方法の領域分割工程について説明するための説明図である。
【図５】本発明の実施の形態に係る最適局所的補強位置検出方法の剛性解析工程について説明するための説明図である（その１）。
【図６】本発明の実施の形態に係る最適局所的補強位置検出方法の剛性解析工程について説明するための説明図である（その２）
【図７】本発明の実施の形態に係る最適局所的補強位置検出方法の剛性解析工程について説明するための説明図である（その３）
【図８】図５を用いて説明した剛性解析工程の剛性解析結果について説明するための説明図である。
【図９】図６を用いて説明した剛性解析工程の剛性解析結果について説明するための説明図である。
【図１０】図７を用いて説明した剛性解析工程の剛性解析結果について説明するための説明図である。
【図１１】本発明の実施例に係る車体について説明するための説明図である。
【図１２】本発明の実施例に係る領域分割工程について説明するための説明図である。
【図１３】本発明の実施例に係る剛性解析工程について説明するための説明図である。
【図１４】本発明の実施例おける比較例としてのバルクヘッドを説明するための説明図である。
【図１５】図１３を用いて説明した剛性解析工程の剛性解析結果と比較例の結果について説明するための説明図である。
【発明を実施するための形態】
【００１８】
本発明の一実施の形態に係る最適局所的補強位置検出方法は、図１のフローチャート図に示すように、平面要素および／または立体要素を用いて前記部品の解析モデルを生成する解析モデル生成工程Ｓ１と、該生成された解析モデルに基準となる基準軸を設定し、前記解析モデルの任意の範囲に前記基準軸に対して所定の角度で任意の幅の複数領域に分割を行う領域分割工程Ｓ３と、前記分割された領域のうち任意の領域について剛性を変更する剛性変更工程Ｓ５と、剛性が一部変更された前記各解析モデルについて剛性解析を行う剛性解析工程Ｓ７と、前記複数の剛性解析結果に基づいて前記部品における最適な局所的補強位置を検出する最適補強位置検出工程Ｓ９とを行う。
【００１９】
最適局所的補強位置検出方法はプログラム処理を実行するＰＣ（パーソナルコンピュータ）等の装置によって行うものであるので、まず、装置（以下、「最適局所的補強位置検出装置１」という）の構成について図２に示すブロック図に基づいて概説する。
【００２０】
〔最適局所的補強位置検出装置〕
本発明の一実施の形態に係る最適局所的補強位置検出装置１は、ＰＣ（パーソナルコンピュータ）等によって構成され、図２に示すように、表示装置３と入力装置５と主記憶装置７と補助記憶装置９および演算処理部１１とを有している。
また、演算処理部１１には、表示装置３と入力装置５と主記憶装置７および補助記憶装置９が接続され、演算処理部１１の指令によって各機能を行う。表示装置３は計算結果の表示等に用いられ、液晶モニター等で構成される。入力装置５はオペレータからの入力等に用いられ、キーボードやマウス等で構成される。主記憶装置７は演算処理部１１で使用するデータの一時保存や演算等に用いられ、ＲＡＭ等で構成される。補助記憶装置９は、データの記憶等に用いられ、ハードディスク等で構成される。
【００２１】
演算処理部１１はＰＣ等のＣＰＵ等によって構成され、演算処理部１１内には、解析モデル生成手段１３と、領域分割手段１５と、剛性変更手段１７と、剛性解析手段１９と、最適補強位置検出手段２１とを有する。これらの手段はＣＰＵ等が所定のプログラムを実行することによって実現される。以下にこれら手段について説明する。
【００２２】
＜解析モデル生成手段＞
解析モデル生成手段１３は、平面要素（シェル要素）、立体要素（ソリッド要素）、または、平面要素と立体要素の両方を使用して部品の解析モデルを生成する。
本実施の形態では、解析対象の部品の例として、中空部品について解析モデル３１を作成した。解析モデル３１は、図３（ａ）および図３（ｂ）に示すように、高さが80mmのハット断面部品３３と、該ハット断面部品３３の開口部を覆う、幅が120mmの平板３５とを接合してなり、長さが800mmの筒状からなるものである。ハット断面部品３３のフランジ部３３ａの幅は20mmである。ハット断面部品３３と平板３５の接合は、フランジ部３３ａとフランジ部３３ａに当接する平板３５の端部とをスポット溶接することで行われている。スポット溶接は、ハット断面部品３３の長手方向に40mmピッチでフランジ部３３ａの幅方向端から7.5mmの位置に、直径6mmのスポットで行われている。解析モデル３１の板厚は1.2mmである。
【００２３】
＜領域分割手段＞
領域分割手段１５は、解析モデルに基準となる基準軸を設定し、解析モデルの任意の範囲に基準軸に対して所定の角度の平面で、任意の幅の複数領域に分割を行う。
各領域の幅は、等間隔な幅であってもよいし、領域毎に異なってもよい。あるいは、例えばバルクヘッドが設置可能な幅など、実際に補強する際の幅を想定して決定してもよいし、それよりももっと細かい幅にしてもよい。
基準軸は、上記のような領域分割が行いやすいように設定する。例えば、解析する部品の形状に沿うような軸を設定すればよい。
図４は、中空部品の解析モデル３１についての領域分割の一例を説明する図である。基準軸は解析モデル３１の長手方向軸とし、解析モデル３１の一端を基準として、長手方向位置200mmから500mmの間に、解析モデル３１の該基準軸に対して垂直な平面で、20mm幅で１５領域に分割した。図４において分割後の各領域を他の領域と区別可能なように灰色の濃淡で色分けして示す。
【００２４】
＜剛性変更手段＞
剛性変更手段１７は、領域分割手段１５で分割された領域のうちの任意の領域の剛性を変更する。剛性の変更は、例えば、任意の領域の弾性率を高くしたり、逆に低くしたり、板厚を増減させたりすることで行う。なお、ここでいう弾性率とは、ヤング率、ポアソン比、体積弾性率、剛性率のことである。
なお、分割領域の断面積が異なる部品（例えば一端から他端に向かって縮径するような部品）について、各領域の幅が同一であれば、各領域の板厚を一様に増減させると、該板厚の増減に伴う重量増減量が各領域で異なることになる。この場合、板厚の増減を一様にするのではなく、重量増減量が同一になるように、各領域の板厚の増減を調整してもよい。
【００２５】
＜剛性解析手段＞
剛性解析手段１９は、剛性変更手段１７で剛性が一部変更された各解析モデルについて剛性解析を行う。剛性解析は、部品単体の解析モデルについて行ってもよいし、部品の解析モデルを構造体の解析モデルに組み込んだ状態で、構造体全体の剛性解析を行ってもよい。
【００２６】
＜最適補強位置検出手段＞
最適補強位置検出手段２１は、複数の剛性解析結果に基づいて部品における最適な局所的補強位置を検出する。
【００２７】
〔最適局所的補強位置検出方法〕
以上のように構成された本実施の最適局所的補強位置検出装置１を用いて最適な局所的補強位置を検出する方法の一例を、最適局所的補強位置検出装置１の動作と共に、図１のフローチャート図および図３〜図１０に基づいて説明する。
上述の解析モデル３１（図３参照）を例として最適な局所的補強位置の検出する場合について以下の説明を行う。
【００２８】
＜解析モデル生成工程＞
まず、解析モデル生成手段１３を用いて、中空部品の解析モデル３１を生成する（解析モデル生成工程Ｓ１）。本実施の形態では、板厚を1.2mm、メッシュサイズ10mm×10mmで生成した。
【００２９】
＜領域分割工程＞
次に、領域分割手段１５を用いて解析モデル３１を、任意の範囲に前記基準軸に対して所定の角度で任意の幅の複数領域に分割する（領域分割工程Ｓ３）。本実施の形態では、図４に示すように20mm幅で15分割の複数の領域に分割した。
【００３０】
＜剛性変更工程＞
次に、剛性変更手段１７を用いて領域分割工程Ｓ３で分割された領域のうち任意の領域について剛性を変更する（剛性変更工程Ｓ５）。本実施の形態では、剛性を変更する領域の板厚を他の領域の2倍の2.4mmにするものとした。
【００３１】
＜剛性解析工程＞
次に、剛性解析手段１９を用いて、剛性変更工程Ｓ５で剛性が一部変更された各解析モデル３１について剛性解析を行う（剛性解析工程Ｓ７）。
本実施の形態では、解析モデル３１単体の剛性解析を行うに際して、荷重拘束条件の例として曲げ荷重条件と、ねじり荷重条件と、コイル支持部への水平方向荷重条件の３条件で行うものとした。以下に詳細に説明する。
【００３２】
曲げ荷重条件は、図５（ａ）に示すように、解析モデル３１の一端を完全に拘束し、他端面の中心に下方向に490Ｎの荷重を付与したものである。図５（ｂ）に曲げ荷重付与後の解析モデル３１の変形状態を示す。
【００３３】
ねじり荷重条件は、図６に示すように、曲げ荷重条件の場合と同様に一端を完全に拘束し、解析モデル３１の他端面の中心に、1×106Ｎ・mmのねじりモーメントを付与したものである。図６（ｂ）にねじり荷重付与後の解析モデル３１の変形状態を示す。
【００３４】
コイル支持部への水平方向荷重条件は、図７に示すように、解析モデル３１の両端を完全に拘束し、解析モデル３１の上面中央（長手方向位置400mm）に設けたコイル支持部３１ａに、水平方向に解析モデル３１の長手方向に直交するように10Ｎの荷重を付与したものである。図７（ｂ）に水平方向荷重付与後の解析モデル３１の変形状態を示す。
【００３５】
＜最適補強位置検出工程＞
次に、最適補強位置検出手段２１を用いて剛性解析工程Ｓ７の結果に基づいて、解析モデル３１における最適な局所的補強位置を検出する（最適補強位置検出工程Ｓ９）。上記拘束荷重条件毎の剛性解析結果について以下に、図８〜図１０に基づいて説明する。
【００３６】
曲げ荷重を付与した場合の剛性解析の結果を図８に示す。図８は、剛性を変更した解析モデル３１毎の剛性変化率をグラフ化したものである。図８の縦軸は、剛性変化率（％）を示しており、横軸は解析モデル３１の剛性を変更した20mm領域の拘束した一端からの長手方向中央位置（mm）を示している。剛性変化率（％）は、剛性解析工程Ｓ７における剛性解析結果Ｇ１と、比較のために行った剛性を変更させない場合の剛性解析結果Ｇ２とを下式（１）で比較したものである。
剛性変化率（％）＝｜Ｇ２−Ｇ１｜／Ｇ１×１００    ・・・（１）
【００３７】
曲げ荷重を付与した場合、図８に示す通り、荷重付与側から拘束側になるにしたがって剛性変化率が上がっている。このことから、荷重付与側の領域の剛性を向上させるよりも、拘束側の領域の剛性を向上させる方が解析モデル３１の剛性が向上することが分かる。なお、図８中の矢印で示す各プロットは、溶接スポットの位置を示している。
【００３８】
図９は、ねじり荷重を付与した場合の剛性解析の結果を示したものである。図９の縦軸と横軸は図８と同様であるのでその説明を省略する。
ねじり荷重を付与した場合、図９に示す通りほぼ横ばいであり、これはどの位置であっても剛性向上は同じことを意味している。なお、図９中の矢印で示す各プロットは、図８の場合と同様に溶接スポットの影響で両隣のプロットの値よりわずかに剛性変化率が高くなる。
【００３９】
図１０は、解析モデル３１の上面中央にコイル支持部３７ａを設け、該コイル支持部３７ａへの水平方向荷重を付与した場合の剛性解析の結果を示したものである。図１０の縦軸と横軸は、図８および図９と同様である。
コイル支持部３７ａへの水平方向荷重を付与した場合、図１０に示す通り、コイル支持部３７ａ（長手方向位置400mm）近傍の領域の剛性を向上させた場合の剛性変化率が高くなっている。このことは、コイル支持部３７ａ近傍を補強することが、解析モデル３１（中空部品）の剛性を高めるのに最も効果的であることを意味している。
【００４０】
上記の結果に基づいて、例えばコイル支持部３７ａへの水平方向荷重を付与した場合についての最適補強位置を検出する場合、上述したとおり、コイル支持部３７ａ近傍の剛性を向上させることが最も効果的であるので、最適補強位置検出手段２１によって、最適補強位置としてコイル支持部３７ａ近傍が検出される。
【００４１】
なお、上記では、最適局所的補強位置検出装置１は、最適補強位置検出手段２１を有している場合について説明したが、最適補強位置検出手段２１を有していなくてもよい。この場合、剛性解析結果に基づいてオペレータが判断すればよい。
【００４２】
以上のように、本実施の形態においては、部品の任意の領域毎に部品自体の剛性を変化させて剛性解析を行い比較することで、どの領域の剛性が全体の剛性に最も寄与しているかを確認することができ、その結果に基づいて部品における最適な補強位置を検出することができる。
【００４３】
なお、部品の剛性を向上させたい場合には、上記のようにして検出された局所的補強位置に基づいて、局所的補強部材（例えばバルクヘッド）を後から設置すればよい。また、局所的補強位置を補強できるようなテーラードブランク材を用いて部品を作成すれば、局所的補強部材を設置する場合と同様に、部品の剛性を効果的に向上させることができる。
【実施例】
【００４４】
本発明の最適局所的補強位置検出装置１による作用効果について、具体的な実施例に基づいて説明する。
上記の実施の形態においては、剛性解析工程Ｓ７において部品（中空部品の解析モデル３１）単体での剛性解析を行ったが、例えば、構造体を構成する一部品について本発明の解析モデル生成工程Ｓ１、領域分割工程Ｓ３、剛性変更工程Ｓ５を適用して、剛性解析工程Ｓ７を行うにあたって、該部品を構造体に組み込んだ状態で構造体の剛性解析を行うことで、該剛性変更の構造体全体の剛性への影響が分かる。
そこで、本実施例においては、図１１に示す車体４１を構成する一部品であるリアサイドメンバ４３について上記各工程（解析モデル生成工程Ｓ１、領域分割工程Ｓ３、剛性変更工程Ｓ５）を適用し、リアサイドメンバ４３が車体４１に組み込まれた状態で剛性解析を行った（図１２（ａ）参照）。
【００４５】
解析に用いた車体４１の寸法は、巾1200mm、長さ3350mm、高さ1130mmで、板厚0.8mmから2.0mmの鋼板および鋼材を用いた。基準の重量は125kgである。
リアサイドメンバ４３は、コの字断面形状を有し、全体の長さが1030mmの長尺の部品であり、車体４１の左右後方に組み込まれている。リアサイドメンバ４３は、左右で同じ形状であるため、左後方のリアサイドメンバ４３を例に挙げて以下の説明をする。リアサイドメンバ４３は、車体４１に組み込まれた状態の下面側にコイル支持部Ａを有しており、コイル支持部Ａにおいて図示しないコイルによって車体４１が支持される。
【００４６】
領域分割は、図１２に示すように、各リアサイドメンバ４３の所定の範囲（詳細は後述する）を、領域幅を40mmとして車体前方から40mmピッチで１ピッチおきに13個の領域に分割した。図１２において分割後の各領域を他の領域と区別可能なように灰色の濃淡で色分けして示す。
剛性変更は、上記分割した13個の領域のうちの任意の1つの領域の板厚を10倍（0.8mm×10＝8mm）に変更するものとした。
剛性解析の荷重拘束条件は図１３に示すように、４箇所のコイル支持部（コイル支持部Ａ、コイル支持部Ｂ、コイル支持部Ｃ、コイル支持部Ｄ）のうち３箇所を拘束して他の１箇所に0.5kNの荷重を与えるという車体ねじり荷重を、荷重を付与する箇所を４箇所ごとに変えて４条件で剛性解析を行い、該４条件の剛性解析結果の平均値を求めた。なお、車体４１の元形状（剛性向上策を講じないリアサイドメンバ４３を組み込んだ車体４１）でのねじり剛性の平均値は25.1（kN*m/deg）である。
【００４７】
また、比較例として、従来方法に基づいて、人手により、図１２（ｂ）に示すように、各リアサイドメンバ４３の発明例と同様の範囲にバルクヘッド４５（図１４参照、幅97mm、高さ148mm、フランジ部幅25mm）を１つ設置した解析モデルを作成して、作成した解析モデルを車体４１に組み込んだ。その後、車体４１の剛性解析を行った。続いて、バルクヘッド４５の設置位置を40mmずらして解析モデルを作成し、車体４１に組み込んで剛性解析を行い、同様の作業を１３通り繰り返した。このように、比較例では解析したい条件毎に１つ１つ解析モデルを作成し直して構造体に組み込んで剛性解析しなければならず非常に手間である。この点、本発明においてはその手間が掛からない。
なお、バルクヘッド４５の設置は、バルクヘッド４５のフランジ部４５ａの中央とリアサイドメンバ４３をスポット溶接で溶接することで行った。
【００４８】
剛性解析の結果を図１５に示す。図１５の縦軸は、剛性向上対策を講じていない車体４１と比較した車体全体の剛性向上率（％）を表しており、横軸は、車体４１における前席シート付近を原点とし、リアサイドメンバ４３に至る方向をプラス方向とした長さを示している。図１５（ａ）は発明例の剛性解析結果であり、図１５（ｂ）は比較例の剛性解析結果である。
【００４９】
図１５（ａ）のグラフから分かる通り、発明例では前席シート付近からの距離1260mm〜1740mmの間を領域分割した。図１５（ａ）に示す通り、発明例では前席シート付近からの距離1660mm（コイル支持部Ａを有する領域の板厚を厚くした場合の剛性解析結果）で最大値（剛性向上率＝約4.2％）になっており、前席シート付近からの距離1660mmの前後で急激にグラフが変化している。このことから、前席シート付近からの距離1660mmの位置が最適局所的補強位置であることが明確に分かる。
【００５０】
他方、比較例の場合、図１５（ｂ）に示す通り、グラフの傾きが緩やかであり、剛性向上率の最大値を示すプロットが２つ（1620mm、1660mm）あり、どの位置が最適局所的補強位置であるかが明確でない。これは、以下の理由が考えられる。バルクヘッド４５の最大の補強効果を有する位置は縦壁部４５ｂのある位置であるが、バルクヘッド４５の設置位置はフランジ部４５ａの中央にある溶接スポットの位置であり、両者の位置がずれている。車体４１に荷重を付加する場合、まず溶接スポットに荷重が付加され、フランジ部４５ａを介して縦壁部４５ｂに付加される構造であるので、最適補強位置が設置位置からずれて検出される。このようにバルクヘッド４５を直接車体４１に組み込んで剛性解析を行う場合、正確な解が得られない。
【００５１】
以上のように、本発明によれば、部品（リアサイドメンバ４３）の任意の領域毎に部品（リアサイドメンバ４３）自体の剛性を変化させて剛性解析を行い比較することで、どの領域の剛性が構造体（車体４１）全体の剛性に最も寄与しているかを確認することができ、その結果に基づいて部品（リアサイドメンバ４３）における最適な局所的補強位置を検出することができる。
【００５２】
また、局所的補強部材（バルクヘッド４５等）を設置して解析できないような領域にも、本発明においては、該領域のパラメータを変更して解析を行えばよい。
また、局所的補強部材（バルクヘッド４５等）を設置して解析する場合のように、局所的補強部材の形状や設置条件に影響されることがないため、正確な局所的補強位置を検出することができる。
また、部品（リアサイドメンバ４３）を車体に組み込んだままでも、部品単体で解析を行う場合と同様に適用できるため、部品ごとの車体４１の解析モデル作成の手間がかからず、非常に効率的である。
【００５３】
また、最適な局所的補強位置に基づいて補強することにより剛性や衝突特性等が向上すれば、その向上分、部品を軽量化することもできる。
【符号の説明】
【００５４】
Ａ、Ｂ、Ｃ、Ｄ  コイル支持部
１  最適局所的補強位置検出装置
３  表示装置
５  入力装置
７  主記憶装置
９  補助記憶装置
１１  演算処理部
１３  解析モデル生成手段
１５  領域分割手段
１７  剛性変更手段
１９  剛性解析手段
２１  最適補強位置検出手段
３１  解析モデル
３１ａ  コイル支持部
３３  ハット断面部品
３３ａ  フランジ部
３５  平板
４１  車体
４３  リアサイドメンバ
４５  バルクヘッド
４５ａ  フランジ部
４５ｂ  縦壁部
【図１】
2014048886.tif 000003
【図２】
2014048886.tif 000004
【図３】
2014048886.tif 000005
【図４】
2014048886.tif 000006
【図５】
2014048886.tif 000007
【図６】
2014048886.tif 000008
【図７】
2014048886.tif 000009
【図８】
2014048886.tif 000010
【図９】
2014048886.tif 000011
【図１０】
2014048886.tif 000012
【図１１】
2014048886.tif 000013
【図１２】
2014048886.tif 000014
【図１３】
2014048886.tif 000015
【図１４】
2014048886.tif 000016
【図１５】
2014048886.tif 000017